(57)【特許請求の範囲】
【請求項１】
カードを積層状態で収納するカードホルダーと、上記積層状態の最下部のカードから順次、カードホルダーに設けたカード排出口を通じて排出するカードのスライダーと、カード排出口から排出されたカードを１枚だけ送り出す出口ゲートを備え、上記スライダーに、カードの端部を係合してスライダーが前進のときにカードをカード排出口から送り出すフックを取り付け、このフックの後端を持ち上げるよう傾斜させるとともに、カード排出口から排出され、出口ゲートへ送り込まれるカードの浮き上がりに対応する傾斜を、出口ゲートに対向するガイドベースに設け、かつカード排出口から排出され、出口ゲートへ送り込まれるカードの浮き上がりを防止する押えバネを、出口ゲートに近接して設けることにより、反ったカードにも対応できるようにしたことを特徴とするカード送り出し装置。
【発明の詳細な説明】
【０００１】
【発明の属する技術分野】
この発明はプリペイドカードや度数カード等の各種の磁気カード、その他のカード類に適用されるカード送り出し装置に関するものである。
【０００２】
【従来の技術】
従来、プリペイドカードや度数カード等の各種の磁気カード、その他のカード類は、印刷その他の加工のため、あるいはカード販売用の自動販売機において１枚ずつ送り出す必要があった。その場合には、カードホルダー内に積み重ねたカードから、繰り出しローラおよび分離ローラ等によって１枚ずつ送り出すようになっていた。
【０００３】
【発明が解決しようとする課題】
しかしながら、繰り出しローラおよび分離ローラ等によって１枚ずつ送り出すものにおいては、繰り出しローラをカードに確実に当接させる必要がある。そのため、構造や制御機構が複雑になったり、カードのスキューを生じやすいという欠点があった。
【０００４】
また、繰り出しローラおよび分離ローラ等によってカードに擦り傷等が付きやすく、商品価値を減じたり、磁気カード等においては使用できなくなることもあるという欠点があった。
【０００５】
さらにカードは反りの無いように製作されているが、プラスチック素材のために多少の反りが出ることはやむを得ない。従来のカード送り出し装置は、この反りに対応する機能を備えていなかった。
【０００６】
この発明のカード送り出し装置は従来例の上記欠点を解消しようとするものであり、構造や制御機構が簡単でメンテナンスも容易であり、カードの反りによるスキュー等も生じにくく、またカードに擦り傷等を付けて商品価値を減じたり、磁気カード等において使用できなくなるという不備を生じることがないようにしたカード送り出し装置を提供しようとするものである。
【０００７】
【課題を解決するための手段】
すなわちこの発明のカード送り出し装置は、カードを積層状態で収納するカードホルダーと、上記積層状態の最下部のカードから順次、カードホルダーに設けたカード排出口を通じて排出するカードのスライダーと、カード排出口から排出されたカードを１枚だけ送り出す出口ゲートを備え、上記スライダーに、カードの端部を係合してスライダーが前進のときにカードをカード排出口から送り出すフックを取り付け、このフックの後端を持ち上げるよう傾斜させるとともに、カード排出口から排出され、出口ゲートへ送り込まれるカードの浮き上がりに対応する傾斜を、出口ゲートに対向するガイドベースに設け、かつカード排出口から排出され、出口ゲートへ送り込まれるカードの浮き上がりを防止する押えバネを、出口ゲートに近接して設けることにより、反ったカードにも対応できるようにしたことを特徴とするものである。
【０００８】
上記カード送り出し装置において、カードスライダーに設けたフックが、常時バネでカード方向に向けて付勢されており、カード後端から外れたときにバネが作用してカードに係合するようにしたことをも特徴としている。
【０００９】
上記カード送り出し装置において、カード排出口から排出され、出口ゲートへ送り込まれるカードの浮き上がりを防止する押えバネを、出口ゲートに近接して設けてなることをも特徴としている。
【００１０】
上記カード送り出し装置において、カード排出口から排出され、出口ゲートへ送り込まれるカードの浮き上がりに対応する傾斜を、出口ゲートに対向するガイドベースに設けてなることをも特徴としている。
【００１１】
この発明のカード送り出し装置によれば、カードの反りによるスキュー等をほとんど生じることがなく、また繰り出しローラおよび分離ローラを使用する場合のようにカードに擦り傷等を付けて商品価値を減じたり、磁気カード等においては使用できなくしてしまうという欠点が解消された。
【００１２】
またこの発明のカード送り出し装置においては、カードに係合するフックが板バネによって上下に動くように構成したので、反ったカードにも柔軟に対応して係合し、確実にカードを送り出すことができる。
【００１３】
この発明のカード送り出し装置においては、ゲートの手前に設けた押さえバネおよびガイドベースの上向きの傾斜が、カードの浮き上がりによる詰りを防止するので、カードを１枚ずつ確実に送り出すことができる。
【００１４】
【発明の実施の形態】
以下、図面に基づき、この発明のカード送り出し装置の実施の形態について説明する。
【００１５】
図１ないし図３は、この発明のカード送り出し装置のガイドベースの上向きの傾斜構造を示す側面図、平面図および要部の側面図である。図中１は装置のベースとなるシャーシで、その長さ方向に沿ってレール２が設置してある。３は、レール２前方のカードの送り出し位置に設けたガイドベースである。
【００１６】
上記レール２上には、前後に動いてカード２１を前方に送り出すスライダー４が、移動自在に搭載されている。そしてスライダー４にＵ字状断面の係合部５を設けるとともに、この係合部５にはめ込んだアーム６を、クランクシャフト７を介して駆動モータ８に連結している。
【００１７】
この駆動モータ８としてはギヤードモータやステッピングモータ等が好適に使用できる。この駆動モータ８はスライダー４をセンサ等によって位置検出することによりＯＮ−ＯＦＦ動作するよう制御される。すなわち、外部からの信号により駆動モータ８が動作を始め、スライダー４が最前部にきたところ（カードの送り出し完了）で停止し、カード２１の引き抜きを検出して、スライダー４は駆動モータ８により最後部まで戻る。
【００１８】
上記スライダー４上の適所には、１枚ずつのカード２１に係合するフック９がその後端を持ち上げるよう傾斜させて取り付けられている。このフック９の底部には板バネ１０が取り付けられており、最下部のカード２１の下部に位置しているときには後傾してスライダー４と同一平面上にある。そして最下部のカード２１の下部から外れた位置においては、板バネ１０によって後端を持ち上げられ、カード２１の後端に確実に係合するようになっている。
【００１９】
上記スライダー４上には、多数のカード２１を積み重ねた状態で収納するカードホルダー１１が取り付けられており、多数のカード２１が積み上げられている。そしてカードホルダー１１の前端下部には、カードホルダー１１内の最下部のカード２１が通過できる隙間状のカード排出口１２が形成されている。なお２２は、カード２１の浮き上がりを防止するウエイトである。
【００２０】
また、カードホルダー１１の上記カード排出口１２から所定の距離をおいて、カード２１が送り出される出口ゲート１３が設けられている。そしてカード排出口１２から排出され、出口ゲート１３へ送り込まれるカード２１の浮き上がりに対応する傾斜１４を、出口ゲート１３に対向するよう設けたガイドベース３上に形成している。このようにした場合、カード２１の先端はガイドベース３に密接した状態で送り出される。したがって、出口ゲート１３とガイドベース３との隙間を最小限のものとすることができ、確実な送り動作を確保することができる。この実施例のものは、肉厚の薄いカード２１の反りに好適に使用できる。すなわち、薄いカード２１は反りやすくて反りの問題が出やすいが、一方ガイドベース３に密接しやすいという利点がある。
【００２１】
図４および図５は、上記ガイドベースの上向きの傾斜構造に組み合わされる押さえバネを示す側面図および平面図である。カードホルダー１１の上記カード排出口１２から所定の距離をおいて、カード２１が送り出される出口ゲート１３が設けられており、そしてカード排出口１２と出口ゲート１３との間には押さえバネ１５が配置されている。
【００２２】
また上記においては、シャーシ１へのカードホルダー１１の取り付けに際し、カードホルダー１１をシャーシ１の肉厚の外側へ取り付けているが、この例のようにカードホルダー１１をシャーシ１の肉厚の内側へ取り付けることもでき、カードサイズの違いに簡単に適応することができる。
【００２３】
この発明のカード送り出し装置の動作を説明すれば次のとおりである。
【００２４】
予め多数のカード２１をカードホルダー１１内に投入しておく。また、アーム６によって係合部５を牽引し、スライダー４を後退させてフック９がカード２１の下部からその背後の外れた位置になるよう移動させておく。
【００２５】
この状態で硬貨や紙幣の投入、その他のスイッチング動作により駆動モータ８が駆動すると、クランクシャフト７が所定の角度回転し、スライダー４が前進してフック９が最下部のカード２１の端部に係合し、そのままカード２１を前方に移動させる。最下部のカード２１はカード排出口１２から排出され、ガイドベース３の前端を持ち上げて形成した傾斜１４、および押さえバネ１５によってそり反りを防止した状態で出口ゲート１３から送り出される。
【００２６】
【発明の効果】
この発明のカード送り出し装置によれば、カードの反りによるスキュー等をほとんど生じることがなく、また繰り出しローラおよび分離ローラを使用する場合のようにカードに擦り傷等を付けて商品価値を減じたり、磁気カード等においては使用できなくしてしまうという欠点が解消された。
【００２７】
またこの発明のカード送り出し装置においては、カードに係合するフックが板バネによって上下に動くように構成したので、反ったカードにも柔軟に対応して係合し、確実にカードを送り出すことができる。
【００２８】
この発明のカード送り出し装置においては、ゲートの手前に設けたガイドベースの前端を持ち上げて形成した傾斜、および押さえバネがカードの浮き上がりを防止するので、カードを１枚ずつ確実に送り出すことができる。
【図面の簡単な説明】
【図１】この発明のカード送り出し装置のガイドベースの上向きの傾斜構造を示す側面図である。
【図２】その平面図である。
【図３】要部の側面図である。
【図４】上記ガイドベースの上向きの傾斜構造に組み合わされる押さえバネを示す側面図である。
【図５】その平面図である。
【符号の説明】
１ シャーシ
２ レール
３ ガイドベース
４ スライダー
５ 係合部
６ アーム
７ クランクシャフト
８ 駆動モータ
９ フック
１０ 板バネ
１１ カードホルダー
１２ カード排出口
１３ 出口ゲート
１４ 傾斜
１５ 押さえバネ
２１ カード
２２ ウエイト
【図１】
0003790832.tif 000002
【図２】
0003790832.tif 000003
【図３】
0003790832.tif 000004
【図４】
0003790832.tif 000005
【図５】
0003790832.tif 000006